(57)【要約】【課題】本発明は、アクセスポイント及び無線チャネルの選択方法を提供する。【解決手段】本発明のアクセスポイントは、複数の無線チャネルから一つの無線チャネルを選び、無線リンクを確立することに使われる。該アクセスポイントは、前記複数の無線チャネルをスキャンし、その使用状態を得る無線チャネルスキャンモジュールと、前記使用状態によって無線チャネルにウェイトを設定し、前記ウェイトによって一つの無線チャネルを選ぶことに使われる無線チャネル選択モジュールと、前記選ばれる無線チャネルを設定することに使われる無線チャネル設定モジュールとを含む。無線チャネルの選択方法は、複数の無線チャネルの使用状態をスキャンするステップと、前記使用状態によって前記複数の無線チャネルにウェイトを設定するステップと、前記ウェイトによって一つの無線チャネルを選ぶステップと、該選ばれる無線チャネルを設定するステップとを含む。【選択図】図１
2007037145.tif 000002
【特許請求の範囲】
【請求項１】
複数の無線チャネルから一つの無線チャネルを選び、無線リンクを確立することに使われるアクセスポイントであって、
前記複数の無線チャネルをスキャンし、その使用状態を得る無線チャネルスキャンモジュールと、
前記使用状態によって無線チャネルにウェイトを設定し、前記ウェイトによって一つの無線チャネルを選ぶことに使われる無線チャネル選択モジュールと、
前記選ばれる無線チャネルを設定することに使われる無線チャネル設定モジュールと、
を含むことを特徴とするアクセスポイント。
【請求項２】
前記アクセスポイントは、無線チャネルの使用状態を記憶する無線チャネル記憶モジュールを含むことを特徴とする請求項１に記載のアクセスポイント。
【請求項３】
前記無線チャネル選択モジュールは、
前記使用状態によって前記無線チャネルが使われるかどうかを判別し、無線チャネルにウェイトを設定することに使われる設定モジュールと、
前記ウェイトによって前記複数の無線チャネルのウェイトサムを計算することに使われる計算モジュールと、
前記複数の無線チャネルのウェイトサムを比較することに使われる比較モジュールと、
該比較結果によって最も少なく使われる無線チャネルを選ぶことに使われる選択モジュールと、
を含むことを特徴とする請求項１または請求項２に記載のアクセスポイント。
【請求項４】
無線チャネルの選択方法において、
複数の無線チャネルの使用状態をスキャンするステップと、
前記使用状態によって前記複数の無線チャネルにウェイトを設定するステップと、
前記ウェイトによって一つの無線チャネルを選ぶステップと、
該選ばれる無線チャネルを設定するステップと、
を含むことを特徴とする無線チャネルの選択方法。
【請求項５】
前記使用状態を記憶することを特徴とする請求項４に記載の無線チャネルの選択方法。
【請求項６】
前記使用状態によって前記複数の無線チャネルにウェイトを設定するステップは、各無線チャネルが使われるかどうかを確認し、各無線チャネルにウェイトを設定するステップと、各無線チャネルのウェイトを合計し、各無線チャネルのウェイトサムを得るステップと、を含むことを特徴とする請求項４または５に記載の無線チャネルの選択方法。
【請求項７】
前記ウェイトによって一つの無線チャネルを選ぶステップは、各無線チャネルのウェイトサムを比較するステップと、最も少なく使われる一つの無線チャネルを選ぶステップと、を含むことを特徴とする請求項６に記載の無線チャネルの選択方法。
【請求項８】
前記一つの無線チャネルを選ぶステップにおいて、最も少なく使われる無線チャネルが一つ以上である時には、予定の順序によって無線チャネルを選ぶことを特徴とする請求項７に記載の無線チャネルの選択方法。
【発明の詳細な説明】
【技術分野】
【０００１】
本発明は、無線通信装置に関して、特にアクセスポイント及び無線チャネルの選択方法に関するものである。
【背景技術】
【０００２】
無線ローカルエリアネットワーク（ＷＬＡＮ）に応用される従来の無線通信システムにおいて、有線ネットワークに接続されるアクセスポイントと、一つまたは複数の移動局とは、一般的に無線チャネルを介して、無線通信システムの無線リンクを確立する。伝送特性及び各アクセスポイントの通信量を予測することによって、一つの無線チャネルは、あらゆるアクセスポイントに固定的に分配されることが分かる。該移動局所属の区域におけるアクセスポインに分配する無線チャネルにおいて、移動局のユーザは、一つの無線チャネルを手動で選び、あるいは、アクセスポイントから周期性的または持続性的に伝送する制御信号によって一つの無線チャネルを選ぶことができる。
【発明の開示】
【発明が解決しようとする課題】
【０００３】
しかし、伝送特性及び通信量を予測することによって無線チャネルをあらゆるアクセスポイントに固定的に分配する時には、実際の伝送特性及び通信量と、予測の伝送特性及び通信量とが差別があるから、同じ無線チャネルが同じでないアクセスポイントに分配され、アクセスポイントとアクセスポイントとの間に受信妨害を発生する恐れがある。
【０００４】
従って、本発明は、同じでないアクセスポイントの間の無線チャネルの衝突、受信妨害を回避することができるアクセスポイント及び無線チャネルの選択方法を提供する。
【課題を解決するための手段】
【０００５】
本発明のアクセスポイントは、複数の無線チャネルから一つの無線チャネルを選び、無線リンクを確立することに使われる。該アクセスポイントは、前記複数の無線チャネルをスキャンし、その使用状態を得る無線チャネルスキャンモジュールと、前記使用状態によって無線チャネルにウェイトを設定し、前記ウェイトによって一つの無線チャネルを選ぶことに使われる無線チャネル選択モジュールと、前記選ばれる無線チャネルを設定することに使われる無線チャネル設定モジュールとを含む。
【０００６】
本発明の無線チャネルの選択方法は、複数の無線チャネルの使用状態をスキャンするステップと、前記使用状態によって前記複数の無線チャネルにウェイトを設定するステップと、前記ウェイトによって一つの無線チャネルを選ぶステップと、該選ばれる無線チャネルを設定するステップとを含む。
【発明の効果】
【０００７】
従来技術と比べて、本発明に係るアクセスポイント及び無線チャネルの選択方法は、同じでないアクセスポイントの間の無線チャネルの衝突、受信妨害を回避することができる。
【発明を実施するための最良の形態】
【０００８】
次に、本発明のアクセスポイント及び無線チャネルの選択方法を詳しく説明する。
【０００９】
図１は、本発明の実施形態の無線通信システムの概略図である。無線通信システムは、無線チャネルを利用して通信する。該無線通信システムは、アクセスポイント１００と、移動局２００、３００とを含む。図１に示すように、本実施形態において、アクセスポイント１００は、無線チャネルスキャンモジュール１１０と、無線チャネル記憶モジュール１３０と、無線チャネル選択モジュール１５０と、無線チャネル設定モジュール１７０とを含む。
【００１０】
無線チャネルスキャンモジュール１１０は、あらゆる無線チャネルをスキャンし、その使用状態を得ることに使われる。無線チャネル記憶モジュール１３０は、前記のスキャンする結果（即ち、無線チャネルの使用状態）を記憶することに使われる。無線チャネル選択モジュール１５０は、無線チャネル記憶モジュール１３０に記憶される無線チャネルの使用状態によって一つの無線チャネルを選ぶことに使われる。
【００１１】
本実施形態において、無線チャネル選択モジュール１５０は、設定モジュール１５１と、計算モジュール１５２と、比較モジュール１５３と、選択モジュール１５４とを含む。設定モジュール１５１は、使われる無線チャネルとその隣の無線チャネルに異なるウェイト（ｗｅｉｇｈｔ）を設定することに使われる。計算モジュール１５２は、前記設定するウェイトによって各無線チャネルのウェイトサムを計算することに使われる。比較モジュール１５３は、前記の計算する結果によって各無線チャネルのウェイトサムを比較することに使われる。選択モジュール１５４は、前記の比較する結果によって一つの無線チャネルを選ぶことに使われる。無線チャネル設定モジュール１７０は、前記選ばれる無線チャネルによってアクセスポイント１００に該無線チャネルを設定して通信する。
【００１２】
図２は、本発明の第一実施形態の無線チャネルの選択方法のフローチャートである。新しい通信を確立する時に、アクセスポイント１００は、一つの無線チャネルを選ばなければならない。
【００１３】
ステップＳ２００で、無線チャネルスキャンモジュール１１０は、あらゆる無線チャネルの使用状態をスキャンする。ステップＳ２０２で、無線チャネル記憶モジュール１３０は、あらゆる無線チャネルの使用状態を記憶する。ステップＳ２０４で、無線チャネル選択モジュール１５０は、各無線チャネルの使用状態によって各無線チャネルにウェイトを設定し、各無線チャネルのウェイトサムを計算する。ステップＳ２０６で、無線チャネル選択モジュール１５０は、各無線チャネルのウェイトサムの大きさを比較し、比較する結果によって一つの無線チャネルを選ぶ。ステップＳ２０８で、無線チャネル設定モジュール１７０は、前記選ばれる無線チャネルをアクセスポイント１００に設定する。
【００１４】
図３は、本発明の第二実施形態の無線チャネルの選択方法のフローチャートである。図３に示すように、新しい通信を確立する時には、アクセスポイント１００は、一つの無線チャネルを選ばなければならない。該アクセスポイント１００は、図１に示すような無線チャネルスキャンモジュール１１０と、無線チャネル記憶モジュール１３０と、無線チャネル選択モジュール１５０と、無線チャネル設定モジュール１７０とを含む。
【００１５】
ステップＳ３００で、無線チャネルスキャンモジュール１１０は、ユーザの指令によってあらゆる無線チャネルの使用状態をスキャンする。本実施形態において、新しい通信を確立する時に、アクセスポイント１００は、無線チャネルを介してその隣のアクセスポイントにＩＥＥＥ８０２.１１標準に符合する請求情報を送信する。無線チャネルが使用状態である時には、その隣のアクセスポイントが前記請求情報を応答するためにデータバケット（ｄａｔａｐａｃｋｅｔ）を伝送し、該データバケットが該無線チャネルが使用状態であることを説明し、さもないと、その隣のアクセスポイントがデータバケットを伝送しない。
【００１６】
ステップＳ３０２で、無線チャネル記憶モジュール１３０は、あらゆる無線チャネルの使用状態を記憶する。
【００１７】
ステップＳ３０４で、無線チャネル選択モジュール１５０の設定モジュール１５１は、無線チャネル記憶モジュール１３０に記憶されるあらゆる無線チャネルの使用状態によって無線チャネルが使われるかどうかを判別し、使われる各無線チャネル及びその隣の無線チャネルに異なるウェイトを設定する。本実施形態において、使われる各無線チャネルがその隣の無線チャネルに影響を与え、妨害信号が使われる無線チャネルからその隣の無線チャネルまで弱くなるから、使われる各無線チャネルのウェイトをその隣の無線チャネルのウェイトより大きく設定する。ほかの実施形態において、使われる各無線チャネルのウェイトをその隣の無線チャネルのウェイトより小さく設定してもよい。例えば、図４は、本発明の第二実施形態の無線チャネルのウェイト表であり、その中に、無線チャネルＣｈ１〜Ｃｈ１４の初期値を零に設定する。本実施形態において、ある無線チャネルが使われる時には、使われる無線チャネルとその隣の無線チャネルが異なるウェイトに設定される。例えば、無線チャネルＣｈ１が使われる時には、そのウェイトが９に設定され、その隣の無線チャネルＣｈ２のウェイトが３に設定され、無線チャネルＣｈ２と隣の無線チャネルＣｈ３のウェイトが1に設定され、ほかの無線チャネルＣｈ４〜Ｃｈ１４のウェイトが使われる無線チャネルＣｈ１との距離が遠いから、受ける影響が弱く、零に設定してもよい。無線チャネルＣｈ５、無線チャネルＣｈ６、無線チャネルＣｈ９及び無線チャネルＣｈ１０が使われる時には、そのウェイト及びその隣の無線チャネルのウェイトが前記規則によって設定する。
【００１８】
ステップＳ３０６で、無線チャネル選択モジュール１５０の計算モジュール１５２は、前記各無線チャネルのウェイトを合計し、各無線チャネルのウェイトサムを得る。
【００１９】
ステップＳ３０８で、無線チャネル選択モジュール１５０の比較モジュール１５３は、計算モジュール１５２の計算結果によって各無線チャネルのウェイトサムの大きさを比較する。
【００２０】
ステップＳ３１０で、無線チャネル選択モジュール１５０の選択モジュール１５４は、最も小さいウェイトサムを有する無線チャネルが一つだけがあるかどうかを判別し、一つだけがあるなら、ステップＳ３１２に進む。ステップＳ３１２で、選択モジュール１５４は、最も小さいウェイトサムを有する無線チャネルを選び、即ち、最も少なく使われる無線チャネルを選ぶ。図４を見ると、本実施形態において、無線チャネルＣｈ３のウェイトサムが最も小さいから、無線チャネルＣｈ３を選んで通信することが分かる。最も小さいウェイトサムを有する無線チャネルが一つだけではないなら、ステップＳ３１４に進む。ステップＳ３１４で、選択モジュール１５４は、ユーザが予定の順序によって無線チャネルを選ぶ。ほかの実施形態において、使われる各無線チャネルのウェイトをその隣の無線チャネルのウェイトより小さく設定する時に、選択モジュール１５４は、最も大きいウェイトサムを有する無線チャネルを選び、即ち、最も少なく使われる無線チャネルを選ぶ。最も大きいウェイトサムを有する無線チャネルが一つだけではないなら、選択モジュール１５４は、ユーザが予定の順序によって無線チャネルを選ぶ。
【００２１】
無線通信システムにおいて、アクセスポイント１００または移動局２００、３００がある無線チャネルを支持しないから、無線チャネルの選択方法は、該ある無線チャネルを選ばない。
【００２２】
ステップＳ３１６で、無線チャネル設定モジュール１７０は、選ばれる無線チャネルをアクセスポイント１００に設定して通信する。即ち、本実施形態において、アクセスポイント１００に無線チャネルＣｈ３を設定する。
【図面の簡単な説明】
【００２３】
【図１】本発明の実施形態の無線通信システムの概略図である。
【図２】本発明の第一実施形態の無線チャネルの選択方法のフローチャートである。
【図３】本発明の第二実施形態の無線チャネルの選択方法のフローチャートである。
【図４】本発明の第二実施形態の無線チャネルのウェイト表である。
【符号の説明】
【００２４】
１００  アクセスポイント
１１０  無線チャネルスキャンモジュール
１３０  無線チャネル記憶モジュール
１５０  無線チャネル選択モジュール
１５１  設定モジュール
１５２  計算モジュール
１５３  比較モジュール
１５４  選択モジュール
１７０  無線チャネル設定モジュール
２００、３００  移動局
【図１】
2007037145.tif 000003
【図２】
2007037145.tif 000004
【図３】
2007037145.tif 000005
【図４】
2007037145.tif 000006